(57)【要約】【課題】運搬性に優れた棒状物用スタンドを提供する。【解決手段】棒状物２を水平面に対して起立させる棒状物用スタンド１であって、棒状物２の長さ方向に沿って延び、一端および他端を有するスタンド軸１０と、スタンド軸１０の一端側にスタンド軸１０に対して折り畳み可能に配置され、スタンド軸１０を支持しスタンド軸１０を水平面に起立させる開状態と、スタンド軸１０に対して折り畳まれる閉状態と、で遷移可能な折畳み脚２０と、スタンド軸１０の他端側に配置され、棒状物２をスタンド軸１０に保持するホルダー５０と、を有する。【選択図】図１
0003232705.tif 000002
【実用新案登録請求の範囲】
【請求項１】
棒状物を水平面に対して起立させる棒状物用スタンドであって、
前記棒状物の長さ方向に沿って延び、一端および他端を有するスタンド軸と、
前記スタンド軸の前記一端側に前記スタンド軸に対して折り畳み可能に配置され、前記スタンド軸を支持し前記スタンド軸を前記水平面に起立させる開状態と、前記スタンド軸に対して折り畳まれる閉状態と、で遷移可能な折畳み脚と、
前記スタンド軸の前記他端側に配置され、前記棒状物を前記スタンド軸に保持するホルダーと、を有する、棒状物用スタンド。
【請求項２】
前記折畳み脚は、前記スタンド軸に回転可能に連結される一端を有する複数の脚からなる、請求項１記載の棒状物用スタンド。
【請求項３】
前記スタンド軸に対して前記スタンド軸の長さ方向に沿ってスライドするスライド部と、
前記スライド部に回転可能に連結される一端と、前記折畳み脚に回転可能に連結される他端と、を有し、前記スライド部のスライドに伴い前記折畳み脚を前記開状態と前記閉状態との間で遷移させる連結部と、をさらに備える、請求項２記載の棒状物用スタンド。
【請求項４】
前記折畳み脚は、前記スタンド軸または前記連結部と掛かり合い、前記閉状態において前記開状態に遷移する方向と反対の方向の回転を規制する規制部を有する、請求項３記載の棒状物用スタンド。
【請求項５】
前記スタンド軸の前記一端に、前記棒状物の一端を支持する下端支持部をさらに備える、請求項１から４のいずれか一項記載の棒状物用スタンド。
【請求項６】
前記棒状物は、スポーツ吹矢の筒である、請求項１から５のいずれか一項記載の棒状物用スタンド。
【考案の詳細な説明】
【技術分野】
【０００１】
本考案は、棒状物用スタンドに関する。
【背景技術】
【０００２】
従来、棒状物用スタンドとして、特許文献１には、吹矢用吹き筒を支持する吹矢用吹き筒立が開示されている。この吹き筒立は、支柱、および支柱を支持する三脚部を有する。三脚部は、持ち運びを考慮して、支柱に着脱可能に配置されている。
【先行技術文献】
【特許文献】
【０００３】
【特許文献１】実用新案登録第３１９５６６９号公報
【考案の概要】
【考案が解決しようとする課題】
【０００４】
しかしながら、特許文献１の吹き筒立は、支柱と、取り外された三脚部とが別体であり、支柱、三脚部および吹き筒のそれぞれを持ち運ばなければならない。このため、より一層持ち運びに優れた、棒状物用スタンドが求められている。
【０００５】
本考案はこのような事情を考慮してなされたもので、運搬性に優れた棒状物用スタンドを提供することを目的とする。
【課題を解決するための手段】
【０００６】
本考案に係る棒状物用スタンドは、上述した課題を解決するために、棒状物を水平面に対して起立させる棒状物用スタンドであって、前記棒状物の長さ方向に沿って延び、一端および他端を有するスタンド軸と、前記スタンド軸の前記一端側に前記スタンド軸に対して折り畳み可能に配置され、前記スタンド軸を支持し前記スタンド軸を前記水平面に起立させる開状態と、前記スタンド軸に対して折り畳まれる閉状態と、で遷移可能な折畳み脚と、前記スタンド軸の前記他端側に配置され、前記棒状物を前記スタンド軸に保持するホルダーと、を有する。
【考案の効果】
【０００７】
本考案に係る棒状物用スタンドにおいては、運搬性に優れている。
【図面の簡単な説明】
【０００８】
【図１】吹き筒用スタンドが吹き筒を支持している態様を示す斜視図。
【図２】吹き筒用スタンドの全体構成を示す斜視図。
【図３】吹き筒用スタンドが閉状態である場合のスライド部および折畳み脚を特に示す斜視図。
【考案を実施するための形態】
【０００９】
本考案に係る棒状物用スタンドの実施形態を添付図面に基づいて説明する。本実施形態においては、棒状物がスポーツ吹矢用吹き筒であり、この吹き筒を地面や床などの水平面に対して起立させる吹き筒用スタンドである例を用いて説明する。
【００１０】
図１は、吹き筒用スタンド１が吹き筒２を支持している態様を示す斜視図である。
【００１１】
図２は、吹き筒用スタンド１の全体構成を示す斜視図である。
【００１２】
図３は、吹き筒用スタンド１が閉状態である場合のスライド部３０および折畳み脚２０を特に示す斜視図である。
【００１３】
吹き筒用スタンド１は、スタンド軸１０と、折畳み脚２０と、スライド部３０と、連結部４０と、ホルダー５０と、下端支持部６０と、を有する。
【００１４】
スタンド軸１０は、吹き筒２の長さ方向に沿って延びる棒状部材であり、例えば強度を有するステンレスなどの金属からなる。スタンド軸１０は、吹き筒２をバランスよく支持可能な長さを有し、例えば吹き筒２の全長の１／２から２／３程度の長さを有する。スタンド軸１０は、一端としての下端１１と、他端としての上端１２と、を有する。
【００１５】
折畳み脚２０は、スタンド軸１０の下端１１側に、スタンド軸１０に対して折り畳み可能に配置される、２本の脚である。折畳み脚２０は、例えば強度を有するステンレスなどの金属からなる。折畳み脚２０は、スタンド軸１０に対して、開状態と、閉状態と、で遷移可能である。開状態は、折畳み脚２０がスタンド軸１０を下端１１で支持し、スタンド軸１０を水平面に起立させる状態である。閉状態は、折畳み脚２０がスタンド軸１０に対して折り畳まれ、スタンド軸１０、折畳み脚２０および連結部４０が略平行になった状態である。
【００１６】
２本の折畳み脚２０は、開状態においてスタンド軸１０、および吹き筒２を保持するスタンド軸１０を安定して支持可能な所要角度（例えば６０度）をなして、スタンド軸１０の下端１１に下端支持部６０介して連結される。折畳み脚２０の一端２１は、下端支持部６０に回転可能に連結されている。
【００１７】
スライド部３０は、スタンド軸１０に対してスタンド軸１０の長さ方向に沿ってスライドする。スライド部３０は、本体３１と、固定ネジ３５と、を有する。本体３１は、例えば樹脂からなり、スタンド軸１０を貫通させた状態でスタンド軸１０の長さ方向に移動する。固定ネジ３５は、締め付けられることにより本体３１をスタンド軸１０の任意の位置で固定する。
【００１８】
連結部４０は、折畳み脚２０同様のステンレスなどの金属からなり、一端４１および他端４２を有する。一端４１は、スライド部３０に回転可能に連結される。他端４２は、折畳み脚２０の一端２１と他端２３との間に回転可能に連結される。これにより、連結部４０は、スライド部３０のスライドに伴い、折畳み脚２０を開状態と閉状態との間で遷移させる。すなわち、折畳み脚２０、スライド部３０および連結部４０は、リンク機構をなし、スライド部３０のスタンド軸１０の長さ方向に沿うスライド動作を、折畳み脚２０の一端２１を軸とする回転運動に変換する。
【００１９】
図２に示すように、折畳み脚２０は、開状態において、スタンド軸１０（水平面）と約７５度の角度をなす位置以上の過剰な回転が規制されるようになっている。回転の規制は、例えば連結部４０と折畳み脚２０との連結位置に設けられる構造物で行われる。水平面とスタンド軸１０とが９０度よりも小さい角度をなすことで、吹き筒２を保持した吹き筒用スタンド１が倒れにくいという作用を有する。
【００２０】
図３に示すように、折畳み脚２０は、開状態から閉状態に遷移した後、折畳み脚２０がスタンド軸１０と略平行になる位置以上の過剰な回転が規制されるようになっている。すなわち、開状態に遷移する方向と反対の方向の回転が過剰になされないようになっている。回転の規制は、例えば、規制部２５を有することにより行われる。規制部２５は、折畳み脚２０の他端２３に設けられた例えば短い円柱状の樹脂部材であり、閉状態である場合に連結部４０と掛かり合い、回転を規制する。
【００２１】
ホルダー５０は、吹き筒２をスタンド軸１０に保持するために、スタンド軸１０の上端１２側に配置される。ホルダー５０は、例えば樹脂からなる、保持部５１と、開閉部５５と、を有する。
【００２２】
保持部５１は、スタンド軸１０に固定され、吹き筒２の外表面の一部を保持可能な、保持面５２を有する。保持部５１は、折畳み脚２０の一端２１から他端２３に延びる方向とスタンド軸１０に関して反対方向に向いた開口５３を有する。
【００２３】
開閉部５５は、保持部５１の開口５３を開閉可能なように、保持部５１に対して水平方向に沿う一方向回りに回転可能に連結される。開閉部５５は、保持面５２に吹き筒２が支持される際に閉じられることにより、吹き筒２が保持面５２から飛び出ないように保持する。
【００２４】
下端支持部６０は、スタンド軸１０の下端１１に設けられ、吹き筒２の下端３（一端）を支持する。下端支持部６０は、例えば樹脂からなり、吹き筒２の下端３の内径に対応する外径を有する凸部６１を有する。凸部６１は、上端４側がホルダー５０に保持される吹き筒２の下端３側を保持可能なように、ホルダー５０が吹き筒２を支持する方向（開口５３の向く方向）とスタンド軸１０に関して同じ方向に配置される。また、下端支持部６０は、スタンド軸１０および折畳み脚２０を回転可能に支持することにより、これらを連結する機能も有する。
【００２５】
次に、吹き筒用スタンド１の作用を説明する。
【００２６】
吹き筒用スタンド１は、使用時においては、使用者によりスライド部３０の固定ネジ３５が緩められることにより、スライド部３０の本体３１がスタンド軸１０の下端１１に向けて移動可能となる。スライド部３０が下端１１側に移動されると、連結部４０が一端２１を軸に折畳み脚２０を回転させて、折畳み脚２０が開状態となる。スライド部３０が所定位置まで移動すると、折畳み脚２０と連結部４０との回転が規制されることにより、スライド部３０は移動が規制される。その後、使用者により固定ネジ３５が締められて、スライド部３０はスタンド軸１０に対して固定される。このとき、スタンド軸１０が水平面に対して直立ではなく傾斜するように、折畳み脚２０とスタンド軸１０との角度が設定されているため、吹き筒用スタンド１は倒れにくくなっている。
【００２７】
次に、使用者により、吹き筒２が吹き筒用スタンド１に配置される。まず、吹き筒２の中空である下端３が、下端支持部６０の凸部６１に挿入されることにより、凸部６１と嵌まり合い、下端３が支持される。次に、ホルダー５０の開閉部５５が開かれ、保持部５１の保持面５２に支持される。その後、開閉部５５が閉じられることにより、吹き筒２の上端４側がホルダー５０内に支持される。使用者は、競技中（使用中）においては、開閉部５５を開くだけで吹き筒２を吹き筒用スタンド１から取り出すことができる。また、待機中（不使用中）においては、吹き筒２を吹き筒用スタンド１に立て掛けることができる。
【００２８】
競技（使用）が終了すると、吹き筒２が吹き筒用スタンド１に保持された状態で、折畳み脚２０が折り畳まれる。具体的には、スライド部３０の固定ネジ３５が緩められることにより、スライド部３０の本体３１がスタンド軸１０の上端１２に向けて移動可能となる。スライド部３０が上端１２側に移動されると、連結部４０が一端２１を軸に折畳み脚２０を回転させて、折畳み脚２０が閉状態となる。スライド部３０が所定位置まで移動し、スタンド軸１０と折畳み脚２０とが略平行になると、折畳み脚２０と連結部４０との回転が規制部２５により規制されることにより、折畳み脚２０の過剰な回転が規制される。この状態で、使用者により固定ネジ３５が締められて、スライド部３０はスタンド軸１０に対して固定される。
【００２９】
使用者は、この状態で吹き筒用スタンド１とともに、吹き筒２を持ち運び用のケースなどに収容することで、吹き筒用スタンド１および吹き筒２を一体として持ち運ぶことができる。
【００３０】
このような吹き筒用スタンド１は、吹き筒２の使用中（競技中）においては、吹き筒２を好適に保持することができ、また、吹き筒２の使用が終了した後は、吹き筒用スタンド１を複数部品に分解することなく、折畳み脚２０を折り畳むのみで一体として持ち運ぶことができる。さらには、吹き筒用スタンド１は、吹き筒２を保持したまま持ち運ぶことができ、運搬性に優れている。
【００３１】
また、吹き筒用スタンド１は、スライド部３０のスタンド軸１０に沿った移動のみで、折畳み脚２０を閉状態と開状態との間を遷移させることができる。また、折畳み脚２０を閉状態まで遷移させた後は、折畳み脚２０が過剰に回転しないように規制される。このため、吹き筒用スタンド１の操作性にも優れている。
【００３２】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【００３３】
例えば、本考案に係る棒状物用スタンドが利用される棒状物は、吹き筒２以外にも傘、杖などの他の棒状物であってもよい。規制部２５が連結部４０と掛かり合うことにより回転が規制される例を説明したが、スタンド軸１０に掛かり合うことにより規制されてもよい。
【符号の説明】
【００３４】
１  吹き筒用スタンド
２  吹き筒
３  下端
４  上端
１０  スタンド軸
１１  下端
１２  上端
２０  折畳み脚
２１  一端
２３  他端
２５  規制部
３０  スライド部
３１  本体
３５  固定ネジ
４０  連結部
４１  一端
４２  他端
５０  ホルダー
５１  保持部
５２  保持面
５３  開口
５５  開閉部
６０  下端支持部
６１  凸部
【図１】
0003232705.tif 000003
【図２】
0003232705.tif 000004
【図３】
0003232705.tif 000005